(57)【要約】【課題】デジタルオーディオプレーヤーにおいて、圧縮された音楽デジタル情報を時系列に従った音楽デジタル情報に変換する機構を有していない場合であっても、自ら選択した曲目に従って音楽を聴くことができるインターネットシステムの構成を提供すること。【解決手段】端末コンピュータ同士を、中間サーバー２及びネットワークを介して通信可能としているインターネットシステムであって、中間サーバー２においては、末端のデジタルオーディオプレーヤー３のアドレス番号を登録すると共に、各デジタルオーディオプレーヤー３から送信される圧縮状態にある音楽デジタル信号を時系列に従った非圧縮状態の音楽デジタル信号に変換し、かつ前記登録に係るアドレス番号に従って、変換された音楽デジタル信号を当該送信を行ったデジタルオーディオプレーヤー３に返送することによって前記課題を達成し得る音楽情報インターネットシステム。【選択図】図３
2007094051.tif 000002
【特許請求の範囲】
【請求項１】
端末コンピュータを備えている複数のクライアント同士を、中間サーバー及びネットワークを介して通信可能としているインターネットシステムであって、特定の中間サーバーにおいては、末端のデジタルオーディオプレーヤーのアドレス番号を登録すると共に、各デジタルオーディオプレーヤーから送信される圧縮状態にある音楽デジタル信号を時系列に従った非圧縮状態の音楽デジタル信号に変換し、かつ前記登録に係るアドレス番号に従って、変換された音楽デジタル信号を当該送信を行ったデジタルオーディオプレーヤーに返送することができる音楽情報インターネットシステム。
【請求項２】
中間サーバーは、無線アクセスシステムに加入しており、デジタルオーディオプレーヤーとの送受信について、無線通信が可能であることを特徴とする請求項１記載の音楽情報インターネットシステム。
【請求項３】
変換機構において、圧縮された音楽デジタル信号をパーソナルコンピュータによってハードディスクにダウンロードし、当該ダウンロードされた音楽デジタル信号の時系列が、当該音楽のリズムに概略マッチしていることを特徴とする請求項１、２記載の音楽情報インターネットシステム。
【請求項４】
中間サーバーにおいて、各曲目毎に変換する機構を個別に備えていることを特徴とする請求項１、２、３記載の音楽情報インターネットシステム。
【請求項５】
特定のデジタルオーディオプレーヤーから送付された圧縮状態にある音楽デジタル信号の変換中に、他のデジタルオーディオプレーヤーから、同一の曲目による圧縮された音楽デジタル信号が送付された場合に、中間サーバーが、当該他のデジタルオーディオプレーヤーに対し、「現在、変換中」である旨の返送を行うことを特徴とする請求項１、２、３記載の音楽情報インターネットシステム。
【請求項６】
中間サーバーにおいて、各曲目毎に複数個の変換機構を備えており、特定のデジタルオーディオプレーヤーからの送信に基づいて、圧縮された音楽デジタル信号を変換している時に、他のデジタルオーディオプレーヤーから、同一の曲目による圧縮された音楽デジタル信号が送付された場合、別の変換機構に基づいて変換を行い、当該他のデジタルオーディオプレーヤーに返送することを特徴とする請求項１、２、３記載の音楽情報インターネットシステム。
【発明の詳細な説明】
【技術分野】
【０００１】
本発明は、音楽情報を、端末コンピュータの指令信号に基づいて、末端に配置されているデジタルオーディオプレーヤーに送信することを可能とする音楽情報インターネットシステムに関するものである。
【背景技術】
【０００２】
現在、Moving Picture Experts Group−１  Audio Layer III（「ＭＰＥＧ３」と略称され、更には「ＭＰ３」と略称されていることから、以後「ＭＰ３」の略称を使用することにする。）のように、音楽デジタル信号を約１／１１〜１／１２に圧縮して、メモリに収録し、改めてパーソナルコンピュータなどによってソフトウエアによる再生が行われている。
【０００３】
前記再生においては、圧縮された音楽デジタル信号を一度パーソナルコンピュータのハードディスクにダウンロードすることによって、通常の時間経過とリズムが合致している非圧縮状態の音楽デジタル信号に変換し、当該パソコンからUniversal Serial Bus（通常、「ＵＳＢ」と略称されている。）によるケーブルなどを介して、前記ＭＰ３などに基づくデジタルオーディオプレーヤーに該当する音楽曲目を転送することが行われている。
【０００４】
しかしながら、このような従来技術の場合には、利用者において、ＭＰ３などに基づくプレーヤーを所持したとしても、前記のように、ハードディスクにダウンロードすることを可能とするパーソナルコンピュータを有していなければ、当該プレーヤーの所有者は、結局、所望の曲目を聴くことができない。
【０００５】
しかるに、従来のインターネットシステムにおいては、せっかく、音楽デジタル情報を圧縮した状態にて、大量に記録し得るコンパクトディスク（ＣＤ）などによるメモリを設けても、前記のような不都合を解決するに至っていない。
【０００６】
因みに、本発明に関連する特許文献１、２は、要するに圧縮された音楽デジタル信号を、非圧縮状態の音楽デジタル信号にダウンロードして変換することを開示しているに過ぎず、他方、特許文献３は、末端に装着されているコンパクトディスク（ＣＤ）から、所定の圧縮された音楽デジタル情報を取得したうえで、個別の配信サーバー装置から、各音楽デジタル信号に対応して変換された非圧縮状態のＭＰ３形式による音楽デジタル信号を取得する構成を開示しているが、そのような構成は、ネットワークシステムの利用形態として、極めて煩雑である。
【０００７】
【特許文献１】特開２０００−２９３１８２号公報。
【特許文献２】特開２００２−１０８３６３号公報。
【特許文献３】特表２００４−５２２１９９号公報。
【発明の開示】
【発明が解決しようとする課題】
【０００８】
本発明は、ＭＰ３プレーヤーなどの末端におけるデジタルオーディオプレーヤーにおいて、圧縮された音楽デジタル情報を時系列に従った非圧縮状態である音楽デジタル情報に変換する機構を有していない場合であっても、当該変換に基づいて、自ら選択した曲目に従って、デジタルオーディオプレーヤーによって発生する音楽を聴くことができるインターネットシステムを提供することを課題としている。
【課題を解決するための手段】
【０００９】
前記課題を解決するため、本発明の基本構成は、
（１）端末コンピュータを備えている複数のクライアント同士を、中間サーバー及びネットワークを介して通信可能としているインターネットシステムであって、特定の中間サーバーにおいては、末端のデジタルオーディオプレーヤーのアドレス番号を登録すると共に、各デジタルオーディオプレーヤーから送信される圧縮状態にある音楽デジタル信号を時系列に従った非圧縮状態の音楽デジタル信号に変換し、かつ前記登録に係るアドレス番号に従って、変換された音楽デジタル信号を当該送信を行ったデジタルオーディオプレーヤーに返送することができる音楽情報インターネットシステム、
（２）中間サーバーは、無線アクセスシステムに加入しており、デジタルオーディオプレーヤーとの送受信について、無線通信が可能であることを特徴とする前記（１）の音楽情報インターネットシステム、
からなる。
【発明の効果】
【００１０】
本発明においては、前記（１）の基本構成のように、中間サーバーが変換機構を有していることによって、末端のデジタルオーディオプレーヤーは、それぞれ個別に圧縮された音楽デジタル信号をパソコンによって、時系列に応じた圧縮状態である音楽デジタル情報に変換せずとも、選択した曲目に応じたリズム及びメロディーに基づく音楽を聴くことができ、特に前記（２）の構成においては、無線によって、中間サーバーに対する送信及び中間サーバーからの返信が可能であることから、任意の場所において、自ら選択した曲目のリズム及びメロディーに基づいて、音楽を享受することが可能となる。
【発明を実施するための最良の形態】
【００１１】
本発明においては、図３に示すように、末端のデジタルオーディオプレーヤー３が、固有のアドレス番号を有し、特定の中間サーバー２に登録し、既存のネットワーク１を介して送信及び受信が可能であること、即ちインターネット機能を有していること、更には特定の中間サーバー２において、末端のデジタルオーディオプレーヤー３から送信されてきた圧縮された状態にある音楽デジタル信号を時系列に従った、非圧縮状態の音楽デジタル信号に変換するパーソナルコンピュータとしての機能を有していることを基本的特徴としている。
【００１２】
前記変換においては、パーソナルコンピュータによって、ＭＰ３プレーヤーなどの末端のデジタルオーディオプレーヤー３から送信された圧縮状態の音楽デジタル信号をハードディスクにダウンロードすることによって実現されており、このような変換方式は、従来技術の場合と同様である。
【００１３】
但し、本発明の場合には、複数のデジタルオーディオプレーヤー３が、前記変換機構を共有しながら、個別に自ら選択した曲目を、前記のような変換を行ったうえで、当該変換に基づくリズム及びメロディーによる音楽を聴くことができる点において、特徴を有している。
【００１４】
中間サーバー２において、各曲目毎に変換する機構を個別に備えていることを特徴とする実施形態の場合には、各曲目毎に並行した状態にて、それぞれ異なるデジタルオーディオプレーヤー３からの送信に基づいて変換した非圧縮状態の音楽デジタル信号を返送することが可能となる。
【００１５】
本発明におけるデジタルオーディオプレーヤー３は、自らのアドレス番号及び圧縮状態にある特定の曲目に基づく音楽デジタル信号を、中間サーバー２に送信することができるという限度において、コンピュータ機能を有しているが、それ以上の機能を必要とする訳ではなく、例えばＷｅｂサイトなどの検索機能等は不要である。
【００１６】
以下、実施例に即して説明する。
【実施例１】
【００１７】
実施例１は、図１に示すように、特定のデジタルオーディオプレーヤー３から送付された圧縮状態にある音楽デジタル信号の変換中に、他のデジタルオーディオプレーヤー３から、同一の曲目による圧縮された音楽デジタル信号が送付された場合に、中間サーバー２が、当該他のデジタルオーディオプレーヤー３に対し、「現在、変換中」である旨の返送を行うことを特徴としている。
【００１８】
前記特徴点に基づいて、実施例１においては、特定の曲目について、複数個のデジタルオーディオプレーヤー３からの送信が行われた場合の混乱を避けることが可能となる。
【実施例２】
【００１９】
実施例２は、図２に示すように、中間サーバー２において、各曲目毎に複数個の変換機構を備えており、特定のデジタルオーディオプレーヤー３からの送信に基づいて、圧縮された音楽デジタル信号を変換している時に、他のデジタルオーディオプレーヤー３から、同一の曲目による圧縮された音楽デジタル信号が送付された場合、別の変換機構に基づいて変換を行い、当該他のデジタルオーディオプレーヤー３に返送することを特徴としている。
【００２０】
前記特徴点に基づき、実施例２においては、複数のデジタルオーディオプレーヤー３からの変換の請求を並行して実現することが可能となる。
【００２１】
尤も、複数のデジタルオーディオプレーヤー３が、同時に変換を要請する信号を送信した場合には、実施例１のシステムを併用すると良い。
【産業上の利用可能性】
【００２２】
本発明は、小規模ネットワーク及び広域ネットワークの何れのインターネットシステムにおいても採用可能であり、かつ変換機構を備えている中間サーバーは、配信楽曲販売専用のインターネットサービスプロバイダーと提携したうえで、各デジタルオーディオプレーヤーが所持している曲目を登録することによって、個別のデジタルオーディオプレーヤー間において、曲目を交換し合うような事業にも利用することが可能である。
【図面の簡単な説明】
【００２３】
【図１】実施例１の構成を示すフローチャートである。
【図２】実施例２の構成を示すフローチャートである。
【図３】本発明の基本構成を示すブロック図である。
【符号の説明】
【００２４】
１  既存のネットワーク
２  中間サーバー
３  デジタルオーディオプレーヤー
【図１】
2007094051.tif 000003
【図２】
2007094051.tif 000004
【図３】
2007094051.tif 000005